(57)【要約】【課題】蓋の上に食器等を置いたまま蓋を開けることができなかったり、蓋が邪魔となってシンクから食器等を取り出しにくいといった不便さを解消する。【解決手段】上部に開口部２１ａを有する洗浄槽（収容槽）２１と、所定の閉位置にて開口部２１ａを覆う蓋２２とを備え、カウンター３０に設けられたシンク１１に並設されて洗浄槽２１に収容された収容物を洗浄等する食器洗浄機（食器洗浄等機器）２０について、蓋２２を閉位置からシンク１１が配置された方向とは異なる手前方向（所定の移動方向）へスライド可能とし、手前方向へスライドさせたときに開口部２１ａを開放する構成とした。蓋の上に物を置いたまま蓋を開けることができ、かつ、容易にシンクから食器等の物を取り出して食器洗浄機等の食器洗浄等機器内に入れることが可能となる。【選択図】  図１
2004329249.tif 000002
【特許請求の範囲】
【請求項１】
上部に開口部を有する収容槽と、所定の閉位置にて同開口部を覆う蓋とを備え、カウンターに設けられたシンクに並設されて同収容槽に収容された収容物を洗浄等する食器洗浄等機器であって、
上記蓋は、上記閉位置から上記シンクが設けられた方向とは異なる所定の移動方向へスライド可能とされ、同移動方向へスライドしたときに上記開口部を開放することを特徴とする食器洗浄等機器。
【請求項２】
上記所定の移動方向は、水平方向であって本食器洗浄等機器の蓋を開閉操作する操作者の標準位置を基準とした手前方向とされ、
上記蓋は、上面に物を載置可能な載置面が形成されるとともに、上記手前方向への力が加えられると上記閉位置から同手前方向へ引き出されて上記開口部を開放し、上記手前方向とは反対方向への力が加えられると上記閉位置まで同手前方向とは反対方向へ戻されて上記開口部を覆うことを特徴とする請求項１に記載の食器洗浄等機器。
【請求項３】
上記閉位置にあるときの上記蓋の載置面は、上記カウンターの上面の高さに合わせられていることを特徴とする請求項１または請求項２に記載の食器洗浄等機器。
【請求項４】
上記収容槽の開口部に対して着脱可能に取り付けられて同開口部を塞ぐとともに、上記蓋が上記閉位置とされると当該蓋と同収容槽とで挟まれる内蓋が設けられていることを特徴とする請求項１〜請求項３のいずれかに記載の食器洗浄等機器。
【請求項５】
上記蓋における上記移動方向側の縁部には、下方に延出した補助脚が設けられていることを特徴とする請求項１〜請求項４のいずれかに記載の食器洗浄等機器。
【請求項６】
上記蓋と連動してスライド可能とされるとともに同蓋が所定の開位置まで上記移動方向へスライドされたときに下側から当接することにより同蓋を支持する支持部材が設けられていることを特徴とする請求項１〜請求項５のいずれかに記載の食器洗浄等機器。
【請求項７】
上記蓋に載せられた物の重量を検出する重量検出手段と、検出された重量が所定の重量以上またはより大であるときにその旨を通知する通知手段とが設けられていることを特徴とする請求項１〜請求項６のいずれかに記載の食器洗浄等機器。
【請求項８】
カウンターに設けられたシンクと、同シンクに並設された食器洗浄等機器とを備えるシステムキッチンであって、
上記食器洗浄等機器は、上部に開口部を有する収容槽と、所定の閉位置にて同開口部を覆う蓋とを備えるとともに、上記蓋は、上記閉位置から上記シンクが設けられた方向とは異なる所定の移動方向へスライド可能とされ、同移動方向へスライドしたときに上記開口部を開放することを特徴とするシステムキッチン。
【発明の詳細な説明】
【０００１】
【発明の属する技術分野】
本発明は、開閉可能な蓋を備える食器洗浄等機器およびシステムキッチンに関する。
【０００２】
【従来の技術】
従来、この種の食器洗浄等機器である食器洗浄機（食器洗い機ともいう）を備えるシステムキッチンは、カウンターに設けられたシンクに食器洗浄機が並設されて一体的に構成されている。システムキッチンの使用者は、シンクに水切りかごを置いておき、この水切りかごに置かれた食器等を食器洗浄機の洗浄槽に入れてから、食器洗浄機を動作させる。ここで、トップオープン式の蓋を有する食器洗浄機の場合、洗浄槽の開口部を覆う蓋は一側面にヒンジが取り付けられており、ヒンジを回転中心として後方または側方に回転するように開閉する。従って、使用者は、閉じた蓋を回転させるように開けて、食器等を洗浄槽に入れることになる。
【０００３】
また、特許文献１に開示された技術が知られている。同技術では、食器洗浄機の洗浄槽の開口部を開閉自在に覆い、開放時に横のシンク側に移動し、封鎖時に開口部を水封する蓋体が設けられている。使用者は、閉じた蓋体を横のシンクの上までスライドさせて、食器等を洗浄槽に入れることになる。
【０００４】
【特許文献１】
特開２００１−２７５９１４号公報
【特許文献２】
特開２００１−２７５９１２号公報
【特許文献３】
特開２００１−２７５９１３号公報
【０００５】
【発明が解決しようとする課題】
上述した従来の技術においては、以下のような課題があった。
前者のトップオープン式の蓋を有する食器洗浄機では、蓋の上に食器、水切りかご、鍋、フライパン等が置かれていると、そのまま蓋を開けることができないため、狭いキッチンの中で蓋に置かれた物を別の場所に移動させなければならなかった。
後者の技術では、蓋の上に食器等を置いたまま蓋を移動させることはできるものの、シンクに置かれた食器等を食器洗浄機に移そうとして蓋をシンク側に移動させると、シンクの上にスライドしてきた蓋が邪魔となってシンクから食器等を取り出しにくいという問題点があった。
この他、特許文献２，３に開示された食器洗浄機も知られているが、蓋体が外箱の内部に収容されているため同蓋体に食器等を載せることができず、上述した問題を解決することはできない。
【０００６】
本発明は、上記課題にかんがみてなされたもので、蓋の上に物を置いたまま蓋を開けることができ、かつ、容易にシンクから食器等を取り出して食器洗浄機等の食器洗浄等機器内に入れることが可能な食器洗浄等機器およびシステムキッチンの提供を目的とする。
【０００７】
【課題を解決するための手段】
上記目的を達成するため、請求項１にかかる発明は、上部に開口部を有する収容槽と、所定の閉位置にて同開口部を覆う蓋とを備え、カウンターに設けられたシンクに並設されて同収容槽に収容された収容物を洗浄等する食器洗浄等機器であって、上記蓋は、上記閉位置から上記シンクが設けられた方向とは異なる所定の移動方向へスライド可能とされ、同移動方向へスライドしたときに上記開口部を開放する構成としてある。
すなわち、収容槽の開口部を覆う所定の閉位置から蓋を上記移動方向へスライドさせることが可能であり、同移動方向へスライドさせたときに収容槽の開口部が開放される。このとき、蓋の上に物を載せたまま蓋を開けることができる。ここで、上記移動方向は、シンクが設けられた方向とは異なっている。すると、蓋がシンクの上とならないため、シンクに置かれた物を取り出して食器洗浄等機器の収容槽内に入れることは容易である。従って、蓋の上に物を置いたまま蓋を開けることができ、かつ、容易にシンクから食器等の物を取り出して食器洗浄等機器の収容槽内に入れることができる。
【０００８】
本食器洗浄等機器には、食器洗浄機、食器乾燥機、食器洗浄乾燥機が含まれる。
上記食器を洗浄等することには、収容物を洗浄すること、収容物を乾燥させること、収容物を洗浄して乾燥させることが含まれる。
上記蓋をスライドさせることには、平行移動させる場合のみならず、蓋の上面の姿勢を変えずに曲線状に移動させる場合等も含まれる。
【０００９】
上記所定の移動方向は、水平方向であって本食器洗浄等機器の蓋を開閉操作する操作者の標準位置を基準とした手前方向とされ、上記蓋は、上面に物を載置可能な載置面が形成されるとともに、上記手前方向への力が加えられると上記閉位置から同手前方向へ引き出されて上記開口部を開放し、上記手前方向とは反対方向への力が加えられると上記閉位置まで同手前方向とは反対方向へ戻されて上記開口部を覆う構成としてもよい。操作者が閉位置にある蓋に対して手前方向へ力を加える開操作を行うと、蓋は、載置面の姿勢を変えることなく物が置かれた（載置された）状態のまま閉位置から手前方向へ引き出されて開口部を開放する。一方、開口部を開放した蓋に対して操作者が手前方向とは反対方向へ力を加える閉操作を行うと、蓋は、載置面の姿勢を変えることなく物が置かれた状態のまま閉位置まで手前方向とは反対方向へ戻されて開口部を覆う。
ここで、上記水平方向とは、厳密に水平な方向のみならず、水平方向から斜めにずれた方向を含む。上記手前方向とは、厳密に手前の方向のみならず、手前方向に対して斜めにずれた方向を含む。上記手前方向と反対方向とは、厳密に１８０°（度）異なる方向のみならず、その方向から斜めにずれた方向を含む。なお、上方というときは、厳密に上方向のみならず、上方向から斜めにずれた方向を含む。下方というときは、厳密に下方向のみならず、下方向から斜めにずれた方向を含む。以下も、同様である。
【００１０】
システムキッチンに適用して好適な例として、請求項３にかかる発明は、上記閉位置にあるときの上記蓋の載置面は、上記カウンターの上面の高さに合わせられている構成としてある。カウンターと蓋の上面の高さが合わせられているので、蓋の上に物を載せやすくなる。
【００１１】
上記収容槽の開口部に対して着脱可能に取り付けられて同開口部を塞ぐとともに、上記蓋が上記閉位置とされると当該蓋と同収容槽とで挟まれる内蓋が設けられている構成としてもよい。すると、収容槽内の水が蓋に付かないので、蓋を引き出したときに水滴が床等に落下しない。
【００１２】
過荷重対策として、上記蓋における上記移動方向側の縁部には、下方に延出し、例えば下端部に床上を転がるキャスター等が取り付けられた補助脚が設けられている構成としてもよい。すると、蓋に加えられる荷重を分散させることができる。
別の過荷重対策として、上記蓋と連動してスライド可能とされるとともに同蓋が所定の開位置まで上記移動方向へスライドされたときに下側から当接することにより同蓋を支持する支持部材が設けられている構成としてもよい。すると、蓋を開位置としたときに下側から支持部材で支持することができる。
【００１３】
さらに別の過荷重対策として、上記蓋に載せられた物の重量を検出する重量検出手段と、検出された重量が所定の重量以上またはより大であるときにその旨を通知する通知手段とが設けられている構成としてもよい。過荷重の目安として、蓋に載せられた物が所定の重量以上またはより大であることを知ることができる。
【００１４】
さらに、請求項８にかかる発明のように、本発明をシステムキッチンに適用することも可能である。なお、請求項１〜請求項７に記載された構成をシステムキッチンに対応させることも可能である。
【００１５】
【発明の効果】
以上説明したように、請求項１にかかる発明によれば、蓋の上に物を置いたまま蓋を開けることができ、かつ、容易にシンクから食器等の物を取り出して食器洗浄等機器の収容槽内に入れることが可能となる。
請求項２にかかる発明によれば、簡易な具体的構成を提供することができ、蓋の上に物を置いたまま蓋を開けることができ、かつ、容易にシンクから食器等の物を取り出して食器洗浄等機器の収容槽内に入れることが可能となる。
請求項３にかかる発明によれば、蓋の上に物を置きやすくなるので、利便性を向上させることができる。
【００１６】
請求項４にかかる発明によれば、蓋を引き出したときに水滴を床等に落下させないようにさせることが可能となる。また、食器洗浄等機器を運転させているときの音を低減させることができる。
【００１７】
請求項５にかかる発明によれば、蓋に加えられる荷重を分散させることができるので、蓋に載せられる物の重量の許容量を多くさせることが可能となる。
請求項６にかかる発明によれば、蓋は開位置とされたときに下側から支持部材で支持されるので、蓋に載せられる物の重量の許容量を多くさせることが可能となる。
請求項７にかかる発明によれば、蓋に載せられた物が所定の重量以上またはより大であることを知ることができるので、利便性を向上させることができる。
【００１８】
請求項８にかかる発明によれば、蓋の上に物を置いたまま蓋を開けることができ、かつ、容易にシンクから食器等の物を取り出して食器洗浄等機器の収容槽内に入れることが可能なシステムキッチンを提供することが可能となる。
【００１９】
【発明の実施の形態】
以下、下記の順序に従って本発明の実施形態を説明する。
（１）システムキッチンの構成：
（２）システムキッチンの作用：
（３）変形例：
【００２０】
（１）システムキッチンの構成：
図１は、本発明の一実施形態にかかるシステムキッチン１００の外観を示している。なお、図の上方向を上方向、図の下方向を下方向、図の左上方向を左方向、図の右下方向を右方向、図の左下方向を前方向、図の右上方向を後方向としている。本明細書では、上下左右前後を説明するときには、図１を基準とする。
本システムキッチン１００は、カウンター３０に設けられた例えばステンレス製のシンク１１、水栓１２と、食器洗い機とも呼ばれる食器洗浄機（食器洗浄等機器）２０とを備えている。食器洗浄機２０は、シンク１１の右横に並設され、洗浄槽（収容槽）２１、蓋２２、図示されていない内蓋、操作パネル２４等を備えている。カウンター３０は、前側の縁部から下方に延出した前垂れ部３１と、後側の縁部から上方に延出したバックガード３２とを有し、洗浄槽２１の上方が開口とされ、この開口の位置に蓋２２が設けられている。カウンター３０の上面３０ａは、調理等の作業面とされているので、システムキッチンとして機能的な構成とされている。
【００２１】
本カウンター３０は、人工大理石製であり、例えば、不飽和ポリエステル樹脂やアクリル樹脂などのマトリックス樹脂と、水酸アルミニウムやガラスビーズと無機フィラー等の無機質化合物等とを混合した注型用樹脂から構成されている。むろん、人工大理石以外の樹脂を用いてカウンターを形成してもよいし、ステンレス等、樹脂以外の材料でカウンターを形成してもよい。
【００２２】
図２は、洗浄槽と内蓋の外観を示している。洗浄槽２１は、主要部が例えばステンレス製で略箱形とされ、上部に開口部２１ａを有するとともに、食器等の収容物２０ｂを収容する収容部２１ｂが形成されている。同開口部２１ａの周囲となる洗浄槽の上面２１ｃは、略水平となっており、蓋２２の下面に接触するようになっている。
内蓋２３は、樹脂製とされ、洗浄槽の開口部２１ａに対して、例えばヒンジ２３ｃ，２３ｃによって開閉可能に取り付けられて同開口部２１ａを塞ぐようになっている。むろん、内蓋にヒンジを設けずに、開口部２１ａに対して着脱可能に取り付けるようにしてもよい。具体的には、洗浄槽２１には上面２１ｃの内側に一段低くなった内蓋収容部２１ｄが形成されており、内蓋２３は上側から同内蓋収容部２１ｄに収容されるようになっている。内蓋収容部２１ｄに収容された内蓋２３の上面２３ａは、洗浄槽の上面２１ｃの高さに合わせられている。また、内蓋の上面２３ａにおける左右方向における中央部分には、前後方向に延びて下側に窪んだ溝２３ｂが形成されている。なお、洗浄槽の上面２１ｃにおける前側の中間部分にも、内蓋の溝２３ｂに合わせて前後方向に向けられて下側に窪んだ溝２１ｃ１を形成してある。
ここで、蓋２２の他に内蓋２３を設けたことにより、食器洗浄機を運転させているときの音を低減させることができ、蓋を引き出したときに水滴が床等に落下しないようになる。
【００２３】
蓋２２は、主要部が人工大理石製とされている。そして、図１の実線で示した所定の閉位置Ｐ１と、一点鎖線で示した所定の開位置Ｐ２と、の間で、水平方向であって前後方向に平行移動（スライドの一種）可能とされている。ここで、蓋２２は、閉位置Ｐ１にあるときに洗浄槽の開口部２１ａを覆い、開位置Ｐ２に移動すると開口部２１ａを開放する。すなわち、蓋は、閉位置Ｐ１からシンク１１が配置された左方向とは異なる手前方向（所定の移動方向）へスライド可能とされ、同手前方向へスライドしたときに開口部２１ａを開放する。
蓋２２は、上面に食器等の物２０ａを載置可能な載置面２２ａが形成されている。ここで、閉位置Ｐ１にあるときの蓋の載置面２２ａは、カウンターの上面３０ａの高さに合わせられており、同載置面２２ａと同上面３０ａとは水平方向の略同一平面とされている。このように、カウンターと蓋の上面の高さが合わせられているので、蓋の上に物を置きやすく、便利である。
【００２４】
図３は蓋２２を上から見て示した上面図であり、図４は閉位置Ｐ１にある蓋２２をカウンター３０とともに図３のＡ１−Ａ１の方向から見て示した断面図である。また、図５は、開位置Ｐ２にある蓋２２とともに洗浄槽２１とカウンター３０を上から見て示した上面図である。蓋における上面（載置面２２ａ）には、上方に向かって突出した開閉操作用の取っ手２２ｂ（例えば金属製）が設けられている。システムキッチン１００の使用者は、シンク１１の前方であって食器洗浄機２０に隣接した標準位置（蓋を開閉操作する操作者の標準位置）Ｐ３に立って、取っ手２２ｂを手で握って蓋２２を開閉操作するようになっている。標準位置Ｐ３は、取っ手２２ｂを主として右手で持つことを前提としているため、閉位置Ｐ１にあるときの蓋２２の左前である。
蓋２２は水平方向であって前後方向に往復動可能とされているため、蓋２２が閉位置Ｐ１にあるときに取っ手２２ｂに対して標準位置Ｐ３を基準とした手前方向へ力が加えられると、蓋２２は閉位置Ｐ１から開位置Ｐ２まで同手前方向に引き出されて食器洗浄機の開口部２１ａを開放する。一方、蓋２２が開位置Ｐ２にあるときに取っ手２２ｂに対して同手前方向とは反対方向へ力が加えられると、蓋２２は開位置Ｐ２から閉位置Ｐ１まで同手前方向とは反対方向へ戻されて食器洗浄機の開口部２１ａを覆う。
【００２５】
ここで、蓋２２は、前後方向（所定の移動方向）に沿った両側面２２ｃ，ｄを備えている。図４に示すＡ１−Ａ１断面は台形状となっており、両側面２２ｃ，ｄは下側となるほど互いに離れる傾斜面とされている。
一方、カウンター３０には、蓋の両側面２２ｃ，ｄの形状に合わせて下側となるほど互いに離れる面とされた一対のガイド面３０ｂ，ｃが形成され、蓋の両側面２２ｃ，ｄに外側から接触して蓋２２を前後方向に案内するようになっている。
蓋の両側面２２ｃ，ｄの傾斜角αは、カウンターから蓋が上方へ抜けない角度であればよいが、滑らかにスライドする好適な角度は１５〜７５°（度）、より好ましくは３０〜６０°、特に好ましくは４５°である。
このように、蓋における移動方向に沿った両側面を傾斜面とし、カウンターにガイド面を形成するという簡易な構造で、蓋を所定の移動方向にスライドさせて開閉可能とさせることができる。
【００２６】
蓋の下面２２ｅにおける両側面２２ｃ，ｄの近傍には、例えばステンレス製の複数のホイール２２ｆ，ｇが取り付けられている。図３の例では、左側の側面２２ｃ近傍に５個のホイール２２ｆが前後方向に並んで設けられ、右側の側面２２ｄ近傍に５個のホイール２２ｇが前後方向に並んで設けられている。各ホイール２２ｆ，ｇは、一部が蓋の下面２２ｅより下側とされ、左右方向に向けて両側面２２ｃ，ｄから埋め込まれた軸部材（図４の拡大図では軸部材２２ｆ１のみ図示）を回転中心として前後方向に転がるように回転可能とされている。そして、蓋２２は、ホイール２２ｆ，ｇが洗浄槽の上面２１ｃを転がることにより、滑らかにスライドする。
なお、洗浄槽の上面２１ｃには、蓋２２が閉位置Ｐ１にあるときのホイール２２ｆ，ｇの位置に合わせて緩やかに窪んだ凹部２１ｅ，ｆが形成されている。そして、蓋２２が閉位置Ｐ１にあるときにホイール２２ｆ，ｇを収容して蓋の下面２２ｅを洗浄槽の上面２１ｃに接触させるようにしている。
【００２７】
また、蓋の左側の側面２２ｃにおける手前側からは左方に延出部２２ｈが延出し、右側の側面２２ｄにおける手前側からは右方に延出部２２ｉが延出している。一方、カウンターのガイド面３０ｂ，ｃにおける手前側には延出部２２ｈ，ｉの形状に合わせて切り欠かれた形状の切欠部３０ｄ，ｅが形成されている。そこで、蓋２２を後方向にスライドさせると、蓋の後縁部２２ｊがカウンター３０の開口の後縁部３０ｆに当接するとともに、蓋の延出部２２ｈ，ｉの後縁部がカウンターの切欠部３０ｄ，ｅの後縁部に当接して、蓋の移動が規制される。このとき、蓋２２は閉位置Ｐ１となっている。
【００２８】
さらに、蓋の下面２２ｅにおける後縁部２２ｊの中間部分の近傍には、手前方向に移動する蓋２２を開位置Ｐ２で停止させるストッパ部材２２ｋが取り付けられている。具体的には、ストッパ部材２２ｋをゴム等の弾性部材とし、蓋の下面２２ｅにおけるストッパ部材２２ｋが取り付けられる部位に凹部を形成し、同凹部にストッパ部材２２ｋを挿入して固定している。同ストッパ部材２２ｋの下側は、前後方向の鉛直断面が半円状とされている。なお、内蓋２３に溝２３ｂが形成され、洗浄槽の上面２１ｃに溝２１ｃ１が形成されているため、内蓋２３で洗浄槽の開口部２１ａを塞いでもストッパ部材２２ｋが溝２３ｂ，２１ｃ１に入り、蓋２２のスライド動作は阻害されない。
蓋２２を手前方向にスライドさせると、ストッパ部材２２ｋがカウンターの前垂れ部３１の上縁部に当接し、蓋の移動が規制される。このとき、停止した蓋２２は開位置Ｐ２となっている。このように、引き出された蓋が脱落しないので、便利である。
なお、ストッパ部材２２ｋは弾性部材であるため、さらに蓋２２を手前方向に強く引くことによりカウンター３０から引き抜くことができる。一方、引き抜いた蓋２２を後方向に強く押すことによりカウンター３０に取り付けることができる。
【００２９】
蓋を製造する際には、まずカウンターを成形し、その後蓋の部分を切断して研磨する等の加工を行ってもよい。むろん、蓋のみを成形して製造してもよい。カウンターについても、成形した後に蓋の部分を切断して研磨する等の加工を行ってもよいし、予め蓋の部分を除いた形状に成形して製造してもよい。
【００３０】
図５の状態で内蓋２３で開口部２１ａを塞ぎ、蓋２２を閉位置Ｐ１とすると、内蓋２３は蓋２２の下面と洗浄槽２１の内蓋収容部２１ｄの上面との間で挟まれる。これにより、洗浄槽の収容部２１ｂを確実に密閉することができる。そして、食器洗浄機２０は、洗浄槽２１に収容された収容物２０ｂを洗浄する。
【００３１】
（２）システムキッチンの作用：
次に、本発明の食器洗浄機を有するシステムキッチンの作用を説明する。
蓋２２が図１の閉位置Ｐ１にあるとき、取っ手２２ｂを持って手前方向に力を加えると、蓋２２は開位置Ｐ２まで（ストッパ部材２２ｋが前垂れ部３１に当接するまで）一対のガイド面３０ｂ，ｃに案内されて水平方向であって手前方向にスライドして引き出される。その際、蓋のホイール２２ｆ，ｇが凹部２１ｅ，ｆから抜けるので、蓋の下面２２ｅが少し持ち上げられて洗浄槽の上面２１ｃと内蓋の上面２３ａとから離れ、ホイール２２ｆ，ｇが洗浄槽の上面２１ｃを転がることにより、容易に蓋２２を引き出すことができる。すると、蓋２２は洗浄槽の開口部２１ａを開放し、同開口部２１ａを覆っている内蓋２３が取り外し可能となる。このとき、蓋２２は姿勢を変えずに平行移動するので、従来のトップオープン式の蓋を有する食器洗浄機のように蓋の上に置かれた物を狭い台所の中で別の場所へ移す必要はなく、蓋の載置面２２ａの上に食器等の物２０ａを載せたまま蓋２２を開けることができる。
また、洗浄槽の開口部２１ａを内蓋２３が覆っているので、洗浄槽２１内で洗浄する際の水が蓋に付かず、蓋を引き出したときに水滴を床等に落下させないようにさせることが可能となる。
【００３２】
その後、洗浄槽２１から内蓋２３を取り外すと、図５で示した状態となり、開口部２１ａが開口し、シンク１１の水切りかご内に置かれた食器等の物１１ａを洗浄槽の収容部２１ｂに移すことができる。ここで、蓋２２の移動方向は手前方向であり、シンク１１が配置された左方向とは異なっている。すると、蓋２２がシンク１１の上に位置しないため、蓋をシンクの上にスライドさせる従来の食器洗浄機のようにシンクから食器等の物を取り出しにくいという不便さが無くなり、シンクに置かれた物１１ａを取り出して洗浄槽の収容部２１ｂに入れることが容易である。従って、蓋の上に物を載せたまま蓋を開けることができ、かつ、容易にシンクから物を取り出して洗浄槽内に入れることができる。
【００３３】
図５で示した状態で、内蓋２３を洗浄槽の内蓋収容部２１ｄに収容させると、洗浄槽の開口部２１ａが塞がれる。このとき、内蓋の上面２３ａは、洗浄槽の上面２１ｃの位置に合わせられる。次に、取っ手２２ｂを持って後方向に力を加えると、開位置Ｐ２にある蓋２２は閉位置Ｐ１まで一対のガイド面３０ｂ，ｃに案内されて水平方向であって後方向にスライドして戻る。その際、蓋のホイール２２ｆ，ｇにより蓋の下面２２ｅが少し持ち上げられて洗浄槽および内蓋の上面２１ｃ，２３ａから離れた状態となるので、ホイール２２ｆ，ｇが洗浄槽の上面２１ｃを転がることにより、容易に蓋２２をスライドさせることができる。そして、蓋２２が閉位置となり（蓋の後縁部２２ｊがカウンターの後縁部３０ｆに当接するとともに蓋の延出部２２ｈ，ｉの後縁部がカウンターの切欠部３０ｄ，ｅの後縁部に当接し）、洗浄槽の開口部２１ａを覆うと、ホイール２２ｆ，ｇが凹部２１ｅ，ｆに収容され、蓋の下面２２ｅは洗浄槽および内蓋の上面２１ｃ，２３ａに接触する。すなわち、内蓋２３は、蓋が閉位置Ｐ１とされると蓋２２と洗浄槽２１とで挟まれる。
このときも、蓋２２は姿勢を変えずに平行移動するので、蓋の載置面２２ａの上に物２０ａを載せたまま蓋２２を閉めることができる。
【００３４】
その後は、操作パネル２４を操作することにより、洗浄槽の収容部２１ｂに収容した収容物を洗浄することができる。その際、開口部２１ａを塞ぐ内蓋２３を上から蓋２２で押さえているので、洗浄用の水が洗浄槽２１の外に出ることが確実に防がれる。
なお、乾燥機能も有している食器洗浄乾燥機である場合には、さらに洗浄槽内に収容した収容物を乾燥させることができる。
【００３５】
以上説明したように、本発明によると、蓋の上に物を置いたまま蓋を開けることができ、かつ、容易にシンクから食器等の物を取り出して食器洗浄機の洗浄槽内に入れることが可能となる。従って、非常に便利で有用な食器洗浄機およびシステムキッチンを提供することができる。
【００３６】
（３）変形例：
本発明は、様々な変形例が考えられる。
例えば、食器洗浄機の代わりに、乾燥させる物を収容する収容槽と同収容槽の開口部を覆う蓋とを備えて収容槽に収容された収容物を乾燥させる食器乾燥機にも、本発明を適用可能である。保管する食器を収容する収容槽と同収容槽の開口部を覆う蓋とを備えて収容された収容物を保管する食器保管用機器にも、本発明を適用可能である。さらに、食器を加熱して滅菌する機器、食器を消毒する機器、等、食器等の物を収容する清浄槽と同清浄槽の開口部を覆う蓋とを備えて収容された収容物を清浄する食器清浄用機器にも、本発明を適用可能である。
また、シンクとは分離されてシステムキッチンとは一体にされていない食器洗浄機等の食器洗浄等機器にも、本発明を適用可能である。
蓋の所定の移動方向は、閉位置からシンクが設けられた方向とは異なる方向であればよく、シンクが設けられた方向の反対方向であってもよい。また、水平方向から斜め上にずれた方向や斜め下にずれた方向であってもよい。蓋をスライドさせる際には、蓋の姿勢を変えずに曲線状に移動させてもよい。
【００３７】
また、図６、図７に示すように構成しても、蓋の上に物を置いたまま蓋を開けることができ、かつ、容易にシンクから食器等の物を取り出して食器洗浄機の洗浄槽内に入れることが可能となる。図６は変形例にかかるシステムキッチン１００において蓋が所定の閉位置にあるときの外観を示す斜視図であり、図７は蓋が所定の開位置にあるときの外観を示す斜視図である。なお、上述した実施形態と構成が概略同じものには同じ符号を付して説明を省略する。
食器洗浄機４０の蓋４２の厚みは、カウンター５０の前垂れ部５１の高さに合わせられている。同蓋４２の両側面は、傾斜面とはされておらず、所定の移動方向である前後方向に向けられたスライドレール４２ｃ，ｄが取り付けられている。また、蓋４２の下面における前側（移動方向側）の縁部４２ｅには、下方に延出した四角柱状の一対の補助脚４２ｆ，ｇが設けられている。具体的には、左側の補助脚４２ｆが蓋の縁部４２ｅの左端から下方に向かって形成され、右側の補助脚４２ｇは蓋の縁部４２ｅの右端から下方に向かって形成されている。補助脚４２ｆ，ｇの下端部には、それぞれ床上を転がるキャスター４２ｆ１，４２ｇ１が取り付けられている。
【００３８】
カウンター５０の開口は蓋４２の両側面の形状に合わせられており、前後方向に向けられた一対のガイドレール５０ｄ，ｅがカウンター５０の開口の側面に取り付けられている。蓋４２に取り付けられたスライドレール４２ｃ，ｄは、ガイドレール５０ｄ，ｅに沿ってスライドする別のレールである。
図８は、図７のＡ２の位置からカウンター５０とスライドレール４２ｃを見て示した要部断面図である。カウンター５０の開口の側面５０ｂにおける下側は、ガイドレールを取り付ける空間を確保するために蓋４２とは反対方向に切削された切削面５０ｂ１とされている。同切削面５０ｂ１に、ガイドレール５０ｄが固定されている。同ガイドレール５０ｄは、断面が略コ字形とされ、蓋４２の移動方向に向けられてスライドレール４２ｃをスライド可能に収容するガイド溝５０ｄ１を有している。ガイド溝５０ｄ１の上下には、多数のボール５０ｄ２が回転可能に埋め込まれており、ガイドレール５０ｄの前端には、後方向に折り返されたガイド側ストッパ５０ｄ３が形成されている。一方、前後方向に平行移動可能とされたスライドレール４２ｃの後側には、ガイド側ストッパ５０ｄ３を挿入可能なスライド側ストッパ４２ｃ１が設けられている。
なお、右側のスライドレール４２ｄとガイドレール５０ｅの構造も同様である。
【００３９】
蓋４２が図６に示す閉位置にあるとき、手前方向に力を加えると、蓋２２は図７に示す開位置まで（ガイド側ストッパ５０ｄ３がスライド側ストッパ４２ｃ１に挿入するまで）一対のガイドレール５０ｄ，ｅに案内されて水平方向であって手前方向にスライドして引き出される。一対の補助脚４２ｆ，ｇも、床に接触したキャスター４２ｆ１，４２ｇ１が転がって手前方向に引き出される。一対のスライドレール４２ｃ，ｄは回転するボール５０ｄ２に接触してガイドレール５０ｄ，ｅに案内されるので、容易に蓋４２を引き出すことができる。すると、蓋４２は洗浄槽の開口部４１ａを開放する。なお、図７は、開口部４１ａを塞ぐ内蓋を外した状態で描いている。このとき、蓋４２は姿勢を変えずに平行移動するので、蓋の載置面４２ａの上に物を載せたまま蓋４２を開けることができる。
開位置にある蓋４２は、後側縁部がガイドレール５０ｄ，ｅに支持されるとともに、前側縁部が補助脚４２ｆ，ｇに支持される。すなわち、蓋に加えられる荷重が分散されるので、蓋に載せられる物の重量の許容量を多くすることができ、有用な過荷重対策となる。
【００４０】
開位置にある蓋４２に対して後方向に力を加えると、蓋４２は図６に示す閉位置までガイドレール５０ｄ，ｅに案内されて水平方向であって後方向にスライドして戻る。補助脚４２ｆ，ｇも、キャスター４２ｆ１，４２ｇ１が転がって後方向に平行移動する。スライドレール４２ｃ，ｄはボール５０ｄ２に接触してガイドレール５０ｄ，ｅに案内されるので、容易に蓋４２をスライドさせることができる。このときも、蓋の載置面４２ａの上に物を載せたまま蓋４２を閉めることができる。
このように、汎用的なガイドレールとスライドレールを用いることにより、簡易な構造で、蓋を開閉可能とさせることができる。
【００４１】
さらに、図９に示すように構成しても、蓋の上に物を置いたまま蓋を開けることができるのと同時にシンクから食器等の物を取り出して食器洗浄機の洗浄槽内に入れることが容易となる。図９は、別の変形例にかかるシステムキッチンにおいて食器洗浄機６０をカウンター７０等とともに右側から見て示した右側面図である。なお、同様の構造が食器洗浄機６０の左側にも形成されているが、右側の構造を例にとって説明する。
【００４２】
洗浄槽６１の側面６１ａには前後方向に向けてレール６５ｂが取り付けられており、同レール６５ｂに沿って支持部材６５ａがスライド可能に設けられている。支持部材６５ａは、下側縁部に歯６５ａ１が形成されてラック（ラックギヤ）とされている。同歯６５ａ１と噛み合った平歯車６５ｃが洗浄槽の側面６１ａに対して回転可能に取り付けられている。蓋６２の側面６２ａと洗浄槽の側面６１ａとに、棒状のクランク部材６５ｄ，ｅが互いに平行とされて取り付けられている。クランク部材６５ｄの下端部は平歯車６５ｃの回転軸に取り付けられ、上端部は蓋の側面６２ａにおける中間部分の下側に対して回転可能に取り付けられている。クランク部材６５ｅの下端部は洗浄槽の側面６１ａの中央部分に対して回転可能に取り付けられ、上端部は蓋の側面６２ａにおける後側縁部の下側に対して回転可能に取り付けられている。そして、部材６５ａ〜ｅは、蓋６２を支持する支持機構を構成する。
なお、平歯車６５ｃの半径は、クランク部材６５ｄ，ｅにおける下端部から上端部までの長さの１／３〜１／２としている。
【００４３】
図の上段に示すように蓋６２が閉位置にあるとき、蓋６２に対して水平方向から斜め上の方向であって手前方向に力を加えると、クランク部材６５ｄ，ｅにより構成される平行クランクにより、蓋６２は円弧状にスライドして引き出され、洗浄槽６１の開口部を開放する。具体的には、蓋６２は、図中二点鎖線で示した中間位置を経て、図の下段に示す閉位置まで、姿勢を変えずに手前方向に移動する。このとき、クランク部材６５ｄが回転軸に取り付けられた平歯車６５ｃは、同クランク部材６５ｄとともに図の左回りに回転する。すると、平歯車６５ｃと噛み合っている支持部材６５ａは、水平方向であって手前方向に引き出される。すなわち、支持部材６５ａは、蓋６２と連動してスライド可能とされている。
本食器洗浄機６０でも、蓋６２は姿勢を変えずに移動するので、蓋の上に物を載せたまま蓋を開けることができる。
【００４４】
蓋６２が所定の開位置まで所定の移動方向へスライドしたとき、支持部材６５ａは蓋６２の下側から当接することにより蓋６２を支持する。従って、蓋に載せられる物の重量の許容量を多くすることができ、有用な過荷重対策となる。
なお、開位置にある蓋６２に対して水平方向から斜め上の方向であって後方向に力を加えると、蓋６２は閉位置まで円弧状にスライドして戻る。
【００４５】
また、図１０に示すように構成しても、有用な過荷重対策となる。図１０は、別の変形例にかかるシステムキッチン１００の要部を前から見て示した正面図である。
食器洗浄機１２０の蓋１２２は、図１で示した蓋２２と同じ構造とされている。カウンター１５０の前垂れ部１５１において上側に蓋１２２が配置される部位１５１ａの中間部分の上面には、重量センサ１２５が取り付けられている。重量センサ１２５は、薄い円形の板状とされ、上面に加えられる荷重（例えばＮ単位）に比例する電圧を出力する。
前垂れ部１５１に取り付けられた重量センサ１２５の上面は、上記部位１５１ａの上面や洗浄槽１２１の上面よりごく僅かに高くしてある。蓋１２２は後側縁部にて洗浄槽１２１の上面に接触することになるものの、蓋１２２に載せられた物と蓋１２２との合計の重量に略比例する荷重が重量センサ１２５に加えられるようになっている。ここで、重量センサ１２５に加わる荷重は蓋に載せられた物と蓋との合計の重量に略比例するため、同荷重と蓋１２２に載せられた物の重量とは１対１の関係にあり、重量センサ１２５は蓋１２２に載せられた物の重量を検出して対応する電圧を出力していると言える。すなわち、重量センサ１２５は、蓋に載せられた物の重量を検出する重量検出手段を構成する。
【００４６】
操作パネル１２４には、制御基板１２６や、所定の音声を出力可能なブザー１２８等が取り付けられている。
図１１は、食器洗浄機１２０の電気回路の概略を示すブロック図である。制御基板１２６は、マイコン１２７を中心とする制御回路が形成されており、重量センサ１２５やブザー１２８が電気的に接続されている。マイコン１２７は、内部のバスで互いに接続されたＣＰＵ１２７ａ、ＲＯＭ１２７ｂ、ＲＡＭ１２７ｃ、Ａ／Ｄ変換器１２７ｄ、タイマ回路１２７ｅ、Ｉ／Ｏ１２７ｆ〜ｊ等を備えており、食器洗浄機１２０の動作を制御する。重量センサ１２５は、Ａ／Ｄ変換器１２７ｄに接続されている。制御基板１２６にはＩ／Ｏ１２７ｆに接続されたバッファ回路１２６ａが設けられており、ブザー１２８は同バッファ回路１２６ａに接続されている。
【００４７】
操作パネル１２４に設けられた電源ボタンが押されて電源オンとされると、制御基板１２６や重量センサ１２５等に通電される。重量センサ１２５は蓋１２２に載せられた物の重量を検出して対応する電圧をＡ／Ｄ変換器１２７ｄに対して出力する。すると、Ａ／Ｄ変換器１２７ｄは、重量に対応する電圧をデジタルの電圧値に変換する。
図１２は、マイコン１２７が行う重量通知処理をフローチャートにより示している。本フローは、電源オン時に定期的に繰り返し実行される。
まず、Ａ／Ｄ変換器１２７ｄから蓋１２２に載せられた物の重量に対応するデジタルの電圧値Ｗを取得する（ステップＳ１０。以下、「ステップ」の記載を省略）。次に、Ｗが所定の閾値Ｗ０より大であるか否かを判断する（Ｓ１２）。なお、ＷがＷ０以上であるか否かを判断してもよい。例えば、蓋の重量をＷ１（ｋｇ）、蓋に載せることができる物の最大の重量設定をＷ２（ｋｇ）、蓋に載せた物と蓋の合計の重量をデジタルの電圧値に換算する換算係数（経験値）をＫとすると、Ｗ０＝Ｋ・（Ｗ１＋Ｗ２）とすることができる。
【００４８】
Ｓ１２で条件成立のとき、Ｓ１４に進んでＩ／Ｏ１２７ｆからブザー音を出力させる信号をバッファ回路１２６ａに対して出力し、フローを終了する。すると、バッファ回路１２６ａは、ブザー１２８に通電して、ブザー音をエラー音として出力させる。すなわち、蓋１２２に載せられた物の重量が所定の重量以上またはより大であるときにその旨が通知される。
Ｓ１２で条件不成立のとき、Ｓ１６に進んでＩ／Ｏ１２７ｆからブザー音を消音させる信号をバッファ回路１２６ａに対して出力し、フローを終了する。すると、バッファ回路１２６ａは、ブザー１２８への通電を停止して、ブザー音の出力を停止させる。
すなわち、上記重量通知処理を行うマイコン１２７とバッファ回路１２６ａとブザー１２８は、通知手段を構成する。
以上の構成により、食器洗浄機の使用者は、過荷重の目安として、蓋に載せられた物が所定の重量以上またはより大であることを知ることができる。
なお、上記旨の通知は、ブザー音出力以外にも、人の声のような音声の出力であってもよいし、ＬＥＤの点灯やディスプレイへの表示等であってもよい。
【００４９】
ところで、蓋が開いているときには食器洗浄機が動作しないようにされていると、使い勝手が向上する。
図１０、図１１において、制御基板１２６には、さらに押ボタンスイッチ１３１と洗浄駆動機構１３２とが電気的に接続されている。押ボタンスイッチ１３１は、カウンター１５０の開口の後縁部（図５の３０ｆに相当）の中間部分に取り付けられている。同スイッチ１３１は、蓋１２２が後方向に移動して所定の閉位置となると押されてオンの状態（導通状態）となり、蓋１２２が閉位置から前方向に移動するとオフの状態（遮断状態）となるようにされている。図１１に示すように、スイッチ１３１の一端は電源ラインに接続され、他端は抵抗素子１２６ｂの一端とＩ／Ｏ１２７ｇとに接続されている。抵抗素子１２６ｂの他端は、グランドに接続されている。
洗浄駆動機構１３２は、シーケンス制御用の回路を備え、シーケンス制御により洗浄槽１２１内の洗浄の動作を行う機構である。例えば、洗浄槽１２１内に導入する水の配管に設けられたバルブをオンまたはオフにしたり、洗浄槽１２１内の水を循環させるポンプをオンまたはオフにしたり、排水管に設けられたバルブをオンまたはオフにしたり、洗浄槽１２１内を加熱するヒータへの通電をオンまたはオフにしたりする。同洗浄駆動機構１３２は、Ｉ／Ｏ１２７ｈに接続されている。実際には、Ｉ／Ｏ１２７ｈは複数のＩ／Ｏからなり、それぞれのＩ／Ｏが別々に洗浄駆動機構１３２に接続されている。
【００５０】
蓋１２２が開位置にあるとき、スイッチ１３１はオフであり、Ｉ／Ｏ１２７ｇは抵抗素子１２６ｂを介してグランドに接続される。すると、Ｉ／Ｏ１２７ｈへの電圧の入力はＬ（ロー）となる。蓋１２２が閉位置となると、スイッチ１３１がオンとなり、Ｉ／Ｏ１２７ｇは電源ラインに接続されて、Ｈ（ハイ）の電圧が入力される。
図１３は、マイコン１２７が行う洗浄制御処理をフローチャートにより示している。本フローは、電源オン時に定期的に繰り返し実行される。
まず、スイッチの状態を表すＩ／Ｏ１２７ｇの電圧レベルを読む（Ｓ２０）。次に、読んだ電圧レベルに応じて処理を分岐させる（Ｓ２２）。Ｉ／Ｏ１２７ｇの入力がＨであるとき、蓋１２２は閉位置であることになる。このとき、操作パネル１２４から所定の複数の洗浄モードのいずれかを選択する操作入力を受け付け（Ｓ２４）、タイマ回路１２７ｅのデータを読みながら、選択された洗浄モードに対応する信号をＩ／Ｏ１２７ｈに書き込む制御を行うことにより、洗浄駆動機構１３２を制御して洗浄槽１２１に収容された収容物を洗浄させる（Ｓ２６）。そして、フローを終了する。一方、Ｉ／Ｏ１２７ｇの入力がＬであるとき、蓋１２２は閉位置でないことになり、Ｓ２４〜Ｓ２６の処理を行わずにフローを終了する。
【００５１】
すなわち、Ｓ２０の処理を行うマイコン１２７とスイッチ１３１と同スイッチ１３１に接続された回路（１２６ｂ等）は、蓋が所定の閉位置にあるか否かを検出する位置検出手段を構成する。また、Ｓ２２〜Ｓ２６の処理を行うマイコン１２７と洗浄駆動機構１３２は、蓋が所定の閉位置にあると検出されたときのみ洗浄槽に収容された収容物を洗浄可能な洗浄手段を構成する。
以上の構成により、蓋が開いているときには食器洗浄機は動作しないので、洗浄槽から水が外部に出るような不都合なことが起こらなくなる。
【００５２】
また、蓋の取っ手が蓋に収容されるようになっていると、蓋に物を載せる際に取っ手が邪魔とならなくなるため、使い勝手が向上する。
図１４は、別の変形例にかかるシステムキッチンの要部を前から見て示した正面図である。
食器洗浄機１４０の蓋１４２は、図６で示した蓋４２の厚みを有している。同蓋１４２の上面には、所定の下降位置と所定の上昇位置の間で上下動可能とされた開閉操作用の取っ手１４２ｂが設けられている。なお、取っ手１４２ｂは、下降位置にあるとき上端が蓋１４２の上面に合わせられ、蓋１４２に収容される。一方、図の下側に示したように、取っ手１４２ｂは、上昇位置となると蓋１４２の上面より上側となる。この取っ手１４２ｂを上下に移動させるための取っ手駆動機構１４６が、蓋１４２に埋め込まれて取っ手１４２ｂに接続されている。同取っ手駆動機構１４６は、絶縁電線を介して電気的に制御基板１２６に接続されている。
【００５３】
また、操作パネル１４４には、左側に赤外線センサ１４５が取り付けられている。赤外線センサ１４５は、図３で示した操作者の標準位置Ｐ３を含む所定の範囲に人または物体が入ったことを検知する。同範囲は、赤外線センサの能力に応じて決まるが、例えば赤外線センサ１４５の取り付け位置から前方向を基準として４５°以内でかつ１メートル以内等とされる。そして、同範囲に赤外線を発する人または物体が入ったときに対応する電圧の検知信号を制御基板１２６に対して出力する。
図１１には、本食器洗浄機１４０の電気回路の構成も示されている。赤外線センサ１４５は、マイコンのＩ／Ｏ１２７ｉに接続されている。取っ手駆動機構１４６は、マイコンのＩ／Ｏ１２７ｊに接続されている。
【００５４】
上記所定の範囲に赤外線を発する人等が入っていないとき、赤外線センサ１４５は人等を検知せず、上記検知信号を出力しない。一方、同範囲に人等が入ると、赤外線センサ１４５は人等を検知し、上記検知信号をＩ／Ｏ１２７ｉに対して出力する。
図１５は、マイコン１２７が行う取っ手駆動処理をフローチャートにより示している。本フローは、電源オン時に定期的に繰り返し実行される。
まず、赤外線センサ１４５の検知状態を表すＩ／Ｏ１２７ｉの電圧レベルを読む（Ｓ３０）。次に、所定の範囲に人等が入ったか否かを判断する（Ｓ３２）。例えば、赤外線センサ１４５が人等を検知したときにＨ（ハイ）の電圧を出力し、人等を検知していないときにＬ（ロー）の電圧を出力するとき、Ｉ／Ｏ１２７ｉの入力がＨであるときに人等を検知したとして条件成立となり、Ｉ／Ｏ１２７ｉの入力がＬであるときに人等を検知していないとして条件不成立となる。
【００５５】
Ｓ３２で条件成立のとき、Ｓ３４に進んでＩ／Ｏ１２７ｊから取っ手１４２ｂを所定の上昇位置まで上昇させる信号を取っ手駆動機構１４６に対して出力し、フローを終了する。すると、取っ手駆動機構１４６は、取っ手１４２ｂを同上昇位置まで上昇させる。一方、Ｓ３２で条件不成立のとき、Ｓ３６に進んでＩ／Ｏ１２７ｊから取っ手１４２ｂを所定の下降位置まで下降させる信号を取っ手駆動機構１４６に対して出力し、フローを終了する。すると、取っ手駆動機構１４６は、取っ手１４２ｂを同下降位置まで下降させる。
すなわち、上記取っ手駆動処理を行うマイコン１２７と取っ手駆動機構１４６は、所定の範囲に人等が入ったことが検知されたときに下降位置にある取っ手を上昇位置まで上昇させる取っ手駆動手段を構成する。
以上の構成により、食器洗浄機の使用者が蓋を開閉操作する標準位置に入ると自動的に取っ手が上方へ引き出されるので、食器洗浄機の使い勝手を向上させることができる。
【００５６】
むろん、自動的でなくても手動で取っ手が蓋に収容可能となっていれば、使い勝手が向上する。
図１６は、別の変形例にかかるシステムキッチンの要部を前から断面視して示した要部断面図である。蓋１６２の上面には、所定の下降位置と所定の上昇位置との間で上下動可能とされた開閉操作用の取っ手１６２ｂと、この取っ手１６２ｂの右横に配置された円柱状の操作ボタン（操作部材）１６２ｃとが設けられている。なお、取っ手１６２ｂは、下降位置にあるとき上端が蓋１６２の上面に合わせられ、蓋１６２の上面に形成された凹形状の取っ手収容部１６２ａに収容される。一方、図の下側に示したように、取っ手１６２ｂは、上昇位置となると蓋１６２の上面より上側となる。この取っ手１６２ｂの下側にて弾性部材であるばね１６２ｄが取っ手収容部１６２ａに挿入されており、取っ手１６２ｂを上方に付勢している。蓋１６２に取り付けられた操作ボタン１６２ｃは、蓋１６２から抜けないよう、図示しない抜け止め構造が形成されている。
【００５７】
取っ手収容部１６２ａには、右方向に向かって穴１６２ａ１が形成されている。同穴１６２ａ１には弾性部材であるばね１６２ｆが挿入され、同ばね１６２ｆが挿入された状態で同穴１６２ａ１にさらに円柱状の掛止部材１６２ｅが挿入されている。掛止部材１６２ｅの左端は、下側となるほど左側となる傾斜面１６２ｅ１（例えば垂直面を基準として４５°の角度）とされている。一方、操作ボタン１６２ｃの下端は、左側となるほど下側となる傾斜面１６２ｃ１（例えば水平面を基準として４５°の角度）とされている。そして、操作ボタンの傾斜面１６２ｃ１と掛止部材の傾斜面１６２ｅ１とが接触している。このとき、取っ手１６２ｂの基部に形成された掛止部１６２ｂ１が掛止部材１６２ｅに下側にて掛止し、ばね１６２ｆは掛止部材１６２ｅを左方に付勢している。
【００５８】
取っ手１６２ｂが所定の下降位置にあるとき、操作ボタン１６２ｃを下方に向かって押すと、傾斜面１６２ｅ１が傾斜面１６２ｃ１に対して滑り、ばね１６２ｆの付勢力に抗して掛止部材１６２ｅを右方に移動させる。すると、掛止部１６２ｂ１は掛止部材１６２ｅによる掛止が解除され、ばね１６２ｄの付勢力により取っ手１６２ｂは上昇位置まで上昇する。すなわち、操作ボタン１６２ｃは、押す操作により下降位置にある取っ手を上昇位置まで上昇させる。
取っ手１６２ｂが所定の上昇位置にあるとき、取っ手１６２ｂを下方に向かって押すと、取っ手１６２ｂは掛止部１６２ｂ１が傾斜面１６２ｅ１に接触することによりばね１６２ｆの付勢力に抗して掛止部材１６２ｅを右方に移動させる。そして、所定の下降位置になると、ばね１６２ｆの付勢力により掛止部材１６２ｅが左方に移動して掛止部１６２ｂ１を掛止し、取っ手１６２ｂは同下降位置に保持される。
以上の構成により、操作ボタンを押す操作を行うことにより容易に開閉操作用の取っ手を上方へ引き出すことができるので、蓋を開閉操作しないときには取っ手を収容しておけば、蓋に物を載せる際に取っ手が邪魔になることがない。
【００５９】
さらに、開位置にある蓋に物が置かれていないときに折れるような構造とされていると、キッチンの空間を有効利用することができ、使い勝手が向上する。
図１７の上段は別の変形例にかかるシステムキッチンにおいて図７のＡ２に相当する位置からカウンター１９０とスライドレール１８２ｃを見て示した要部断面図であり、下段は蓋１８２を右側から見て示した右側面図である。また、図１８は、開位置にある蓋１８２の動作を示している。蓋１８２の両側面は、所定の移動方向である前後方向に向けられたスライドレール１８２ｃ，ｄと、円柱状の軸部材１８２ｅ，ｆが取り付けられている。カウンター１９０の開口の側面（１９０ｂのみ図示）には、前後方向に向けられた一対のガイドレール１９０ｄ，ｅが取り付けられている。同ガイドレール１９０ｄ，ｅには、前後方向に向けられた中間スライダ１９０ｆ，ｇがスライド可能に設けられている。蓋１８２に取り付けられたスライドレール１８２ｃ，ｄは、中間スライダ１９０ｆ，ｇに沿ってスライドする別のレールである。また、軸部材１８２ｅ，ｆも中間スライダ１９０ｆ，ｇのガイド溝に挿入され、スライド可能となっている。
【００６０】
図１７の上段を用いて説明すると、閉位置にある蓋１８２を開位置まで手前方向にスライドさせると、ガイドレール１９０ｄのガイド側ストッパ１９０ｄ３と中間スライダ１９０ｆのスライダ側ストッパ１９０ｆ１とが掛止するとともに、中間スライダ１９０ｆのスライダ側ストッパ１９０ｆ２とスライドレール１８２ｃのスライド側ストッパ１８２ｃ１とが掛止するようになっている。ここで、取っ手１８２ｂを少し上方に引き上げると、スライド側ストッパ１８２ｃ１がスライダ側ストッパ１９０ｆ２の上を乗り越え、さらに蓋８２を手前方向に引き出すことが可能となる。そして、蓋１８２をさらに引き出すと、軸部材１８２ｅがスライダ側ストッパ１９０ｆ２に掛止する。このときの蓋１８２の状態を図１８に示している。
【００６１】
図１８を用いて説明すると、蓋１８２は、軸部材１８２ｆにてカウンター１９０側の中間スライダ１９０ｇに支持されているので、図の二点鎖線の位置まで、後方向の縁部となる軸部材１８２ｆを回転中心として手前方向側の縁部１８２ｇが下側となるように回転する。すなわち、上記ガイドレールと中間スライダとスライドレールと軸部材は、蓋が所定の開位置まで移動方向へスライドされたときに同蓋を回転させて同移動方向側の縁部を下側に向けさせることが可能な向き変更機構を構成する。
以上の構成により、例えば蓋の上面に物が載せられていない場合などに蓋を下側に折ることができ、台所の空間を有効に使用することが可能となる。
【００６２】
以上説明したように、本発明によると、種々の態様により、蓋の上に物を置いたまま蓋を開けることができ、かつ、容易にシンクから食器等の物を取り出して食器洗浄機等の食器洗浄等機器内に入れることが可能な食器洗浄機およびシステムキッチンを提供することができる。
【図面の簡単な説明】
【図１】本発明の一実施形態にかかるシステムキッチンの外観を示す斜視図である。
【図２】洗浄槽と内蓋の外観を示す分解斜視図である。
【図３】蓋を上から見て示す上面図である。
【図４】閉位置にある蓋を図３のＡ１−Ａ１の方向から見て示す断面図である。
【図５】開位置にある蓋とともに洗浄槽とカウンターを上から見て示す上面図である。
【図６】変形例において蓋が閉位置にあるときの外観を示す斜視図である。
【図７】変形例において蓋が開位置にあるときの外観を示す斜視図である。
【図８】図７のＡ２の位置からカウンターとガイドレールを見て示す要部断面図である。
【図９】別の変形例において食器洗浄機をカウンター等とともに右側から見て示す右側面図である。
【図１０】別の変形例にかかるシステムキッチンの要部を前から見て示した正面図である。
【図１１】食器洗浄機の電気回路の概略を示すブロック図である。
【図１２】重量通知処理を示すフローチャートである。
【図１３】洗浄制御処理を示すフローチャートである。
【図１４】別の変形例にかかるシステムキッチンの要部を前から見て示した正面図である。
【図１５】取っ手駆動処理を示すフローチャートである。
【図１６】別の変形例にかかるシステムキッチンの要部断面図である。
【図１７】別の変形例におけるカウンターとスライドレールの要部断面図と蓋の右側面図である。
【図１８】開位置にある蓋の動作を示す右側面図である。
【符号の説明】
１１…シンク
２０，４０，６０，１２０，１４０…食器洗浄機（食器洗浄等機器）
２０ｂ…収容物
２１，６１，１２１…洗浄槽（収容槽）
２１ａ，４１ａ…開口部
２１ｂ…収容部
２１ｃ…上面
２１ｄ…内蓋収容部
２１ｅ，ｆ…凹部
２２，４２，６２，８２，１２２，１４２，１６２，１８２…蓋
２２ａ，４２ａ…載置面
２２ｂ，１４２ｂ，１６２ｂ，１８２ｂ…取っ手
２２ｃ，ｄ…両側面
２２ｋ…ストッパ部材
２３…内蓋
２４，１２４，１４４…操作パネル
３０，５０，７０，１５０，１９０…カウンター
３０ａ…上面
３０ｂ，ｃ…ガイド面
４２ｃ，ｄ，１８２ｃ，ｄ…スライドレール
４２ｅ…移動方向側の縁部
４２ｆ，ｇ…補助脚
４２ｆ１，４２ｇ１…キャスター
５０ｄ，ｅ，１９０ｄ，ｅ…ガイドレール
６５ａ…支持部材
１００…システムキッチン
１２５…重量センサ
１２６…制御基板
１２７…マイコン
１２８…ブザー
１３１…押ボタンスイッチ
１３２…洗浄駆動機構
１４５…赤外線センサ
１４６…取っ手駆動機構
１６２ｃ…操作ボタン（操作部材）
Ｐ１…所定の閉位置
Ｐ２…所定の開位置
Ｐ３…操作者の標準位置
【図１】
2004329249.tif 000003
【図２】
2004329249.tif 000004
【図３】
2004329249.tif 000005
【図４】
2004329249.tif 000006
【図５】
2004329249.tif 000007
【図６】
2004329249.tif 000008
【図７】
2004329249.tif 000009
【図８】
2004329249.tif 000010
【図９】
2004329249.tif 000011
【図１０】
2004329249.tif 000012
【図１１】
2004329249.tif 000013
【図１２】
2004329249.tif 000014
【図１３】
2004329249.tif 000015
【図１４】
2004329249.tif 000016
【図１５】
2004329249.tif 000017
【図１６】
2004329249.tif 000018
【図１７】
2004329249.tif 000019
【図１８】
2004329249.tif 000020